(57)【要約】      （修正有）【課題】床用免震エキスパンションジョイントカバーの段差を生じさせずに、かつ、地震による変位を吸収し、カバーを突出し、隙間が発生しない床免震エキスパンションジョイントを提供する。【解決手段】床用免震エキスパンションジョイントの床面を複数のプレート１，２，３，４で形成し、多層変位耐荷装置（略称：ＭＤＰ装置）と組み、通常時に床面をフラットに形成され、通行障害は生じない。地震時において、各プレート１，２，３，４の左右、上下変位によって、躯体の相対変位に追随し、作用する外力を吸収することができ、人間及び建造物が損傷されることを防止できる。【選択図】図１
0003172762.tif 000002
【実用新案登録請求の範囲】
【請求項１】
複数のプレートで、多層変位耐荷装置（ＭＤＰ装置）と組み、左右、上下変位ができ、通常時に床面をフラットに保持する床用免震エキスパンションジョイント。
【考案の詳細な説明】
【技術分野】
【０００１】  本考案は床用免震エキスパンションジョイントの可動と安全技術に関するものである。
【背景技術】
【０００２】  従来の床用免震エキスパンションジョイントには通常時におけるカバーの段差があるため、車椅子、台車の通行障害や騒音が発生する。かつ、地震時に目地（クリアランス）が縮まると、床がせり上がって突き出しが発生し、目地（クリアランス）が広がると、隙間が生じるため、歩行者の足が突き出され、挟まれる危険性がある。
【先行技術文献】
【特許文献】
【０００３】
【特許文献１】
【非特許文献】
【０００４】
【非特許文献１】
【考案の概要】
【考案が解決しようとする課題】
【０００５】  床用免震エキスパンションジョイントカバーの段差を生じさせずに、且つ、地震による変位を吸収し、カバーの突出し、隙間が発生しない床免震エキスパンションジョイントを提供する。
【課題を解決するための手段】
【０００６】  本考案は床用免震エキスパンションジョイントの床面を複数のプレートで形成し、多層変位耐荷装置（略称：ＭＤＰ装置）と組み、通常時に表面はフラットを保ち、地震時に上、中、下プレートの相対変位を可能にし、上記の課題を解決する
【考案の効果】
【０００７】  本考案は通常時、床免震エキスパンションジョイントの床面をフラットにし、通行障害が生じせず、地震時において、各プレートの左右、上下変位によって、躯体の相対変位に追随し、作用する外力を吸収することができ、人間及び建造物が損傷されることを防止できる。
【図面の簡単な説明】
【０００８】
【図１】本考案の断面図である。
【図２】本考案の地震時におけるＸ軸方向マイナス可動断面図である。
【図３】本考案の地震時におけるＸ軸方向プラス可動断面図である。
【図４】本考案の平面図である。
【図５】本考案の地震時におけるＹ軸方向可動平面図である。
【図６】本考案の多層変位耐荷装置の平面図である。
【考案を実施するための形態】
【０００９】  本考案はＭＤＰ装置（図６）により、地震時において、複数のプレートと躯体の間に隙間が生じせず（図２、図３、図４、図５）。
従来の床用免震エキスパンションジョイントには中間プレートが幅広いため、Ｙ軸方向に建物が動くと、床エキスパンションジョイントの端部に三角の穴（図５の１２）が発生する。
本考案は複数プレートで構成されるため、三角の穴（図５の１２）が発生しないことを特徴とする。
【実施例】
【００１０】  以下、図１から図６を参照し、本考案の一実施形態に係る免震エキスパンションジョイントフラット床について説明する。
下地Ａ枠６をＡ躯体１０にアンカーで取り付け、下地Ｂ枠７と滑り台８をＢ躯体１１にアンカーで取り付ける。ＭＤＰ装置９を下地Ａ枠６と下地Ｂ枠７にボルト９ｆで取り付ける。
床面に並ぶプレート１、２、３、４には床材５を貼り付ける、プレート３は溶接で、下地Ａ枠６とＢ枠７に取り付ける。プレート１と４はボルト９ｆでＭＤＰ装置９に連結する。プレート２には丸棒９ｅを溶接でつけ、ＭＤＰ装置９の丸管９ｄに差し込む。各ＭＤＰ装置９は角パイプ９ｂで繋ぐ。
地震時において、Ａ躯体１０とＢ躯体１１はＸ軸方向にマイナス縮まる時（図２）、プレート２はプレート３とプレート１の上に競り上がり、マイナス可動量ｋを吸収する。Ａ躯体１０とＢ躯体１１はＸ軸方向にプラス広がるとき（図３）、プレート４はプレート１とプレート２の隙間、プレート２とプレート３の隙間を塞ぎ、落下防止の機能をする。
Ａ躯体１０とＢ躯体１１はＹ軸方向に動く時（図５）、各プレートは均等にずれ、Ｙ方向の可動範囲をカバーする。
ＭＤＰ装置９は可動範囲と垂直荷重により、角パイプの寸法を決め、床プレートを可動範囲内で動かす。
【符号の説明】
【００１１】  １，  中部プレート
２，  上部プレート
３，  端部プレート
４，  下部プレート
５，  表面仕上床材
６，  下地Ａ枠
７，  下地Ｂ枠
８，  滑り台
９    多層変位耐荷装置（略称：ＭＤＰ装置、通称：パンダグラフ）Ｍａｎｙ  Ｄｉｓｐｌａｃｅｍｅｎｔ  Ｐｒｅｓｓｕｒｅ−ｒｅｓｉｓｔａｎｔの略
９ａ，  金属製角パイプ
９ｂ，  繋ぎ金属製角パイプ
９ｃ，  ＭＤＰ金属枠
９ｄ，  丸パイプ
９ｅ，  丸棒
９ｆ，  ボルト
１０，  Ａ躯体
１１，  Ｂ躯体
１２，  従来の床免震エキスパンションジョイントに発生する三角の穴
ｃ，  クリアランス
ｋ，  設計可動量
【図１】
0003172762.tif 000003
【図２】
0003172762.tif 000004
【図３】
0003172762.tif 000005
【図４】
0003172762.tif 000006
【図５】
0003172762.tif 000007
【図６】
0003172762.tif 000008
【手続補正書】
【提出日】平成23年5月17日(2011.5.17)
【手続補正１】
【補正対象書類名】実用新案登録請求の範囲
【補正対象項目名】全文
【補正方法】変更
【補正の内容】
【実用新案登録請求の範囲】
【請求項１】
床用免震エキスパンションジョイントの床面を複数のプレート（端部プレート、上部プレート、中部プレートと下部プレートの総称）で構成され、通常時に複数のプレートで床面をフラットに保持することを特徴とする床用免震エキスパンションジョイント。
複数のプレートをボルトで連結する多層変位耐荷装置は連結バー（角パイプ）で構成され、ボルトで締め、パンダグラフの形にする装置で、垂直荷重を耐えられるように、連結バーを三重以上に重ねる装置である。
地震時に、躯体の祖対変位に追随する多層変位耐荷装置により、各プレートの相対位置が上下、左右に変われ、元の位置に戻れる床用免震エキスパンションジョイント。
【手続補正書】
【提出日】平成23年7月19日(2011.7.19)
【手続補正１】
【補正対象書類名】実用新案登録請求の範囲
【補正対象項目名】全文
【補正方法】変更
【補正の内容】
【実用新案登録請求の範囲】
【請求項１】
床用免震エキスパンションジョイントにおいて、
（１）、端部プレート、
（２）、上部プレート、
（３）、中部プレート、
（４）、下部プレート、
以上からなる床面を多層変位耐荷装置に連結し、通常時に、フラットに保持し、地震時に、各プレートの相対位置が上下、左右に変われ、元の位置に戻れることを特徴とする床用免震エキスパンションジョイント。
【請求項２】
床用免震エキスパンションジョイントの床面プレートに連結する多層変位耐荷装置において、
（１）、金属角パイプ、
（２）、金属角パイプを締める金属ボルト、
以上からなる各パンタグラフを金属連結角パイプで繋ぎ、躯体目地の両側に取り付け、躯体の相対変位に追随し、  作用する外力を吸収することを特徴とする床用免震エキスパンションジョイント。
【手続補正書】
【提出日】平成23年10月17日(2011.10.17)
【手続補正１】
【補正対象書類名】実用新案登録請求の範囲
【補正対象項目名】全文
【補正方法】変更
【補正の内容】
【実用新案登録請求の範囲】
【請求項１】
床用免震エキスパンションジョイントにおいて、金属角パイプで構成され、ボルトで繋ぐパンタグラフ９を下地Ａ枠６と下地Ｂ枠７に皿ボルトで連結し、それぞれのパンタグラフを下に連結角パイプ９ｂで繋ぎ、該パンタグラフの上に、
（１）、下地Ａ枠６と下地Ｂ枠７に溶接で固定する片側の縁を斜め加工する端部プレート３、
（２）、パンタグラフに皿ボルトで繋ぎ、両側の縁を斜め加工する中部プレート１、
（３）、皿ボルトで固定し、パンタグラフの丸パイプに差し込み、地震時において、免震建物の目地が縮まる時に、端部プレート３と中部プレート１の競り上げにより、垂直上昇できる両側の縁を斜め加工する上部プレート２、
（４）、地震時において、免震建物の目地が広まる時、パンタグラフと連結した中部プレート１と上部プレート２、端部プレート３と上部プレート２の間に生じた隙間を塞ぎ、パンタグラフに皿ボルトで繋ぐ下部プレート４、
以上からなる床面を、通常時に、通行者、車椅子、手術台車の通行障害が生じないフラットに保持することを特徴とする床用免震エキスパンションジョイント。